(57)【要約】【課題】  清掃する床面又は壁面に散布した洗剤が清掃範囲外に流出することを防止できる床面又は壁面の清掃方法を提供すること。【解決手段】  床面又は壁面の清掃方法は、床面又は壁面の清掃範囲外に洗剤が流出することを防止する防護フェンスを設置する第一工程と、清掃する床面又は壁面に洗剤を散布する第二工程と、洗剤を払拭し床面又は壁面の汚れを除去する第三工程と、床面又は壁面の清掃範囲内に残留する洗剤を中和するための中和剤を散布する第四工程と、防護フェンスを撤収する第五工程と、床面又は壁面を水ですすぎ洗う第六工程とを有する。【選択図】  図１
2010051873.tif 000002
【特許請求の範囲】
【請求項１】
床面又は壁面の清掃範囲外に洗剤が流出することを防止する防護フェンスを設置する第一工程と、
清掃する床面又は壁面に洗剤を散布する第二工程と、
洗剤を払拭し床面又は壁面の汚れを除去する第三工程と、
床面又は壁面の清掃範囲内に残留する洗剤を中和するための中和剤を散布する第四工程と、
防護フェンスを撤収する第五工程と、
床面又は壁面を水ですすぎ洗う第六工程とを有することを特徴とする床面又は壁面の清掃方法。
【請求項２】
床面又は壁面の清掃範囲外に洗剤が流出することを防止する防護フェンスを設置する第一工程と、
清掃する床面又は壁面に洗剤を散布する第二工程と、
洗剤を払拭し床面又は壁面の汚れを除去する第三工程と、
床面又は壁面の清掃範囲内に残留する洗剤を吸収するマットを着設する第四工程と、
防護フェンス及びマットを撤収する第五工程と、
床面又は壁面を水ですすぎ洗う第六工程とを有することを特徴とする床面又は壁面の清掃方法。
【請求項３】
床面又は壁面の清掃範囲外に洗剤が流出することを防止する防護フェンスを設置する第一工程と、
清掃する床面又は壁面に洗剤を散布する第二工程と、
洗剤を払拭し床面又は壁面の汚れを除去する第三工程と、
床面又は壁面の清掃範囲内の洗剤を吸収するマットを着設し、洗剤を吸収したマットを撤収する第四工程と、
第四工程後に床面又は壁面の清掃範囲内に残留する洗剤を中和するために中和剤を散布する第五工程と、
防護フェンスを撤収する第六工程と、
床面又は壁面を水ですすぎ洗う第七工程とを有することを特徴とする床面又は壁面の清掃方法。
【請求項４】
防護フェンスは、吸水素材からなることを特徴とする請求項１乃至３のいずれかに記載の床面又は壁面の清掃方法。
【請求項５】
防護フェンスは、洗剤を中和するための中和剤を含んでいることを特徴とする請求項４に記載の床面又は壁面の清掃方法。
【請求項６】
第一工程と第二工程の間に、防護フェンスの清掃範囲と反対側に吸水素材からなるマットを着設する工程をさらに有し、第五工程又は第六工程において防護フェンスとともに防護フェンスの清掃範囲と反対側のマットを撤収することを特徴とする請求項１乃至５のいずれかに記載の床面又は壁面の清掃方法。
【請求項７】
マットは、洗剤を中和するための中和剤を含んでいることを特徴とする請求項６に記載の床面又は壁面の清掃方法。
【発明の詳細な説明】
【技術分野】
【０００１】
本発明は、床面又は壁面の清掃方法に関し、特に中和処理が必要な洗剤を使用する床面又は壁面の清掃方法に関する。
【背景技術】
【０００２】
従来から、汚れた床面又は壁面を清掃する方法として、洗剤を床面又は壁面に散布し、床材又は壁面の表面に付着した汚れをブラシ、モップ又はポリッシャーなどで床材又は壁面の表面から剥離させて、洗剤とともに除去する方法が知られている。
【０００３】
このような清掃方法の一つとして、特許文献１に示すように酸性の洗剤を床面に散布する工程と、その酸性の洗剤を中和する中和剤を床面に散布する工程を含む清掃方法がある。
【０００４】
【特許文献１】特表平１０−５１３０７３
【発明の開示】
【発明が解決しようとする課題】
【０００５】
しかしながら、酸性の洗剤を床面又は壁面に散布すると、中和する前に酸性の洗剤が床面又は壁面の清掃範囲外に流出し、床面又は壁面以外を腐食する可能性があるという問題がある。また、床面又は壁面から土壌へと酸性の洗剤が流出することによって、土壌が酸性化し植物等に悪影響を及ぼす可能性があるという問題もある。
【０００６】
上記点より本発明は、清掃する床面又は壁面に散布した洗剤が清掃範囲外に流出することを防止できる床面又は壁面の清掃方法を提供することを目的とする。
【課題を解決するための手段】
【０００７】
上記課題を解決するため、請求項１の床面又は壁面の清掃方法は、床面又は壁面の清掃範囲外に洗剤が流出することを防止する防護フェンスを設置する第一工程と、清掃する床面又は壁面に洗剤を散布する第二工程と、洗剤を払拭し床面又は壁面の汚れを除去する第三工程と、床面又は壁面の清掃範囲内に残留する洗剤を中和するための中和剤を散布する第四工程と、防護フェンスを撤収する第五工程と、床面又は壁面を水ですすぎ洗う第六工程とを有する。
【０００８】
請求項２の床面又は壁面の清掃方法は、床面又は壁面の清掃範囲外に洗剤が流出することを防止する防護フェンスを設置する第一工程と、清掃する床面又は壁面に洗剤を散布する第二工程と、洗剤を払拭し床面又は壁面の汚れを除去する第三工程と、床面又は壁面の清掃範囲内に残留する洗剤を吸収するマットを着設する第四工程と、防護フェンス及びマットを撤収する第五工程と、床面又は壁面を水ですすぎ洗う第六工程とを有する。
【０００９】
請求項３の床面又は壁面の清掃方法は、床面又は壁面の清掃範囲外に洗剤が流出することを防止する防護フェンスを設置する第一工程と、清掃する床面又は壁面に洗剤を散布する第二工程と、洗剤を払拭し床面又は壁面の汚れを除去する第三工程と、床面又は壁面の清掃範囲内の洗剤を吸収するマットを着設し、洗剤を吸収したマットを撤収する第四工程と、第四工程後に床面又は壁面の清掃範囲内に残留する洗剤を中和するために中和剤を散布する第五工程と、防護フェンスを撤収する第六工程と、床面又は壁面を水ですすぎ洗う第七工程とを有することを特徴とする床面又は壁面の清掃方法。
【００１０】
請求項４の床面又は壁面の清掃方法は、防護フェンスが吸水素材からなる。
【００１１】
請求項５の床面又は壁面の清掃方法は、防護フェンスが洗剤を中和するための中和剤を含んでいる。
【００１２】
請求項６の床面又は壁面の清掃方法は、第一工程と第二工程の間に、防護フェンスの清掃範囲と反対側に吸水素材からなるマットを着設する工程をさらに有し、第五工程又は第六工程において防護フェンスとともに防護フェンスの清掃範囲と反対側のマットを撤収する。
【００１３】
請求項７の床面又は壁面の清掃方法は、マットが洗剤を中和するための中和剤を含んでいる。
【発明の効果】
【００１４】
請求項１の床面又は壁面の清掃方法によれば、第一工程で防護フェンスを設置することによって、清掃する床面又は壁面に散布した洗剤が清掃範囲外に流出すること防止し、第四工程で床面又は壁面の清掃範囲内に残留する洗剤を確実に中和することができる。したがって、洗剤による床面又は壁面以外の腐食や土壌が酸性化を防止することができる。
【００１５】
請求項２の床面又は壁面の清掃方法によれば、第一工程で防護フェンスを設置することによって、清掃する床面又は壁面に散布した洗剤が清掃範囲外に流出すること防止し、第四工程で床面又は壁面の清掃範囲内にマットを着設し残留する洗剤を吸収することができる。したがって、洗剤による床面又は壁面以外の腐食や土壌が酸性化を防止することができる。
【００１６】
請求項３の床面又は壁面の清掃方法によれば、第一工程で防護フェンスを設置することによって、清掃する床面又は壁面に散布した洗剤が清掃範囲外に流出すること防止し、第四工程で床面又は壁面の清掃範囲内にマットを着設し洗剤を吸収し、さらに第五工程で床面又は壁面の清掃範囲内に残留する洗剤を確実に中和することができる。したがって、洗剤による床面又は壁面以外の腐食や土壌が酸性化を防止することができる。
【００１７】
請求項４の床面又は壁面の清掃方法によれば、防護フェンスが吸水素材からなることによって、防護フェンスに到達した中和していない洗剤を吸収することができる。防護フェンスが洗剤を吸収することより、確実に清掃範囲外に洗剤が流出することを防止することができる。
【００１８】
請求項５の床面又は壁面の清掃方法によれば、防護フェンスが洗剤を中和するための中和剤を含んでいることにより、洗剤は防護フェンスに吸収されるとともに中和されるので、第五工程において安全に防護フェンスを撤収することができる。
【００１９】
請求項６の床面又は壁面の清掃方法によれば、防護フェンスの清掃範囲と反対側に吸水素材からなるマットを着設することによって、洗剤が中和されることなく防護フェンスを越えて、清掃範囲外に洗剤が流出しても、マットが洗剤を吸収することができる。
【００２０】
請求項７の床面又は壁面の清掃方法によれば、マットが洗剤を中和するための中和剤を含んでいることにより、洗剤はマットに吸収されるとともに中和されるので、第五工程において安全にマットを撤収することができる。
【発明を実施するための最良の形態】
【００２１】
以下、本発明の第一実施形態について図面に基づいて説明する。図１は、本発明の第一実施形態の床面又は壁面の清掃方法の工程図である。図２は、本発明の第二実施形態の床面又は壁面の清掃方法の工程図である。
【００２２】
図１に示すように、第一実施形態の床面又は壁面の清掃方法は床面の清掃範囲外に洗剤が流出することを防止する防護フェンスを設置する第一工程と、清掃する床面又は壁面に洗剤を散布する第二工程と、洗剤を払拭し床面又は壁面の汚れを除去する第三工程と、床面又は壁面の清掃範囲内に残留する洗剤を中和するための中和剤を散布する第四工程と、防護フェンスを撤収する第五工程と、床面又は壁面を水ですすぎ洗う第六工程とを有する。
【００２３】
第一工程で防護フェンスを設置することによって、清掃する床面又は壁面に散布した洗剤が清掃範囲外に流出すること防止し、第四工程で床面又は壁面の清掃範囲内に残留する洗剤を確実に中和することができる。したがって、洗剤による床面又は壁面以外の腐食や土壌が酸性化を防止することができる。
【００２４】
以下、第一工程〜第四工程の詳細について説明する。第一工程では、床面又は壁面の清掃範囲の端部に沿って防護フェンスを設置する。この防護フェンスによって、床面又は壁面の清掃範囲外に洗剤が流出することを防止できる。第一実施形態では、防護フェンスは吸水素材の折曲可能な棒状体からなる。棒状体の横断面は矩形又は三角形のように、床面又は壁面に安定して設置できる形状が望ましい。
【００２５】
防護フェンスが吸水素材の棒状体からなることによって、防護フェンスに到達した中和していない洗剤を吸収することができる。防護フェンスが洗剤を吸収することより、確実に清掃範囲外に洗剤が流出することを防止できる。
【００２６】
防護フェンスは、洗剤を中和するための中和剤を含んでいる。防護フェンスが洗剤を中和するための中和剤を含んでいることにより、洗剤は防護フェンスに吸収されるとともに中和されるので、第五工程において、安全に防護フェンスを撤収することができる。
【００２７】
防護フェンスに吸収された洗剤が中和剤に中和される際に中和熱が発生するが、防護フェンスの吸水素材はその中和熱によって形状変化等が生じない耐熱性を有する。
【００２８】
第一実施形態の第二工程で散布される洗剤は、塩酸を主成分とする酸性洗剤であって、ｐＨが約０．５の液性をとなっている。
【００２９】
第一実施形態の第三工程では、洗剤を散布した床面又は壁面の表面に付着した汚れを、洗ブラシ、モップ又はポリッシャー等を使用して床面又は壁面の表面から剥離させる。洗剤は床面又は壁面の表面の汚れとともにスクイージ、モップ、雑巾等で払拭される。
【００３０】
第一実施形態の第四工程で散布される中和剤はケイ酸ソーダを主成分とするアルカリ性中和剤であって、ｐＨが約１２．０の液性となっている。塩酸はケイ酸ソーダと反応することによってケイ酸と食塩に分解され中和されるようになっている。
【００３１】
図２に示すように、本発明の第二実施形態の清掃方法は、床面又は壁面の清掃範囲外に洗剤が流出することを防止する防護フェンスを設置する第一工程と、清掃する床面又は壁面に洗剤を散布する第二工程と、洗剤を払拭し床面又は壁面の汚れを除去する第三工程と、床面又は壁面の清掃範囲内に残留する洗剤を吸収するマットを着設する第四工程と、防護フェンス及びマットを撤収する第五工程と、床面又は壁面を水ですすぎ洗う第六工程とを有する。第二実施形態の第四工程で着設されるマットは吸水素材からなる。
【００３２】
第一工程で防護フェンスを設置することによって、清掃する床面又は壁面に散布した洗剤が清掃範囲外に流出すること防止し、床面又は壁面の清掃範囲内にマットを着設し残留する洗剤を吸収することができる。したがって、洗剤による床面又は壁面以外の腐食や土壌が酸性化を防止することができる。
【００３３】
上記第一実施形態及び二実施形態以外にも、本発明の床面又は壁面の清掃方法は、床面又は壁面の清掃範囲外に洗剤が流出することを防止する防護フェンスを設置する第一工程と、清掃する床面又は壁面に洗剤を散布する第二工程と、洗剤を払拭し床面又は壁面の汚れを除去する第三工程と、床面又は壁面の清掃範囲内の洗剤を吸収するマットを着設し、洗剤を吸収したマットを撤収する第四工程と、第四工程後に床面又は壁面の清掃範囲内に残留する洗剤を中和するために中和剤を散布する第五工程と、防護フェンスを撤収する第六工程と、床面又は壁面を水ですすぎ洗う第七工程とを有していてもよい。
【００３４】
上記実施形態では、防護フェンスが吸水素材の棒状体からなる場合について説明したがこれに限定されることなく、例えば、防護フェンスが吸水素材のマットであってもよい。
【００３５】
上記実施形態の第一工程と第二工程の間に、防護フェンスの清掃範囲と反対側に吸水素材からなるマットを着設する工程をさらに有し、第五工程又は第六工程において防護フェンスとともに防護フェンスの清掃範囲と反対側のマットを撤収してもよい。
【００３６】
防護フェンスの清掃範囲と反対側に吸水素材からなるマットを着設することによって、洗剤が中和されることなく防護フェンスを越えて、清掃範囲外に洗剤が流出しても、マットが洗剤を吸収することができる。
【００３７】
マットは、洗剤を中和するための中和剤を含んでいてもよい。マットが洗剤を中和するための中和剤を含んでいることにより、洗剤はマットに吸収されるとともに中和されるので、安全にマットを撤収することができる。マットに吸収された洗剤が中和剤に中和される際に中和熱が発生するが、マットの吸水素材はその中和熱によって形状変化等が生じない耐熱性を有する。
【００３８】
上記実施形態では、洗剤が塩酸を主成分とする酸性洗剤である場合について説明したがこれに限定されることなく、例えば、洗剤がスルファミン酸、リン酸又はフッ化水素等を主成分とする酸性洗剤を使用してもよい。
【００３９】
上記実施形態では、洗剤が酸性で中和剤がアルカリ性である場合について説明したがこれに限定されることなく、洗剤がアルカリ性で中和剤が酸性であってもよい。
【図面の簡単な説明】
【００４０】
【図１】本発明の第一実施形態の床面又は壁面の清掃方法の工程図である。
【図２】本発明の第二実施形態の床面又は壁面の清掃方法の工程図である。
【図１】
2010051873.tif 000003
【図２】
2010051873.tif 000004